(57)【特許請求の範囲】
【請求項１】
利用者ＩＤ取得手段と、利用者属性情報登録手段と、可変イベント情報表示手段とを要し、楽曲を利用者ＩＤと紐付けして予約楽曲が予約待ち行列に登録され、当該楽曲が演奏されるカラオケ装置を利用したシステムであり、
（ア）利用者ＩＤ取得手段とは、利用者ＩＤを取得して利用者を特定するものであり、
（イ）利用者属性情報登録手段とは、前記利用者ＩＤにて特定された利用者の属性情報を所定の利用者属性情報管理テーブルに登録するものであり、
（ウ）可変イベント情報表示手段とは、所定の期間で対象者が変化する可変イベント情報が、予め設定された可変イベント情報管理テーブルにもとづき、当該情報に対応付けられている対象者属性情報と、現在取得されている利用者ＩＤにつき、前記利用者属性情報管理テーブルにて管理されている利用者属性情報とを比較し、所定の属性情報が一致しているものがある場合は、利用者が楽曲の予約操作を行った際に、その属性情報に対応付けられた可変イベント情報を表示する、
を特徴とするカラオケイベント情報表示システム。
【発明の詳細な説明】
【技術分野】
【０００１】
本発明は、利用者の属性情報を管理し、当該属性情報に関連したカラオケイベント情報を表示するカラオケシステムに関する。
【背景技術】
【０００２】
カラオケ装置での楽曲の歌唱あるいはイベント企画としての、歌唱採点競争、歌唱オーディション、歌唱検定等の付帯する歌唱コンテンツを楽しむ時は、目次本やリモコン装置等の検索手段を使用して行われる。これらの検索手段は、歌唱する楽曲や遊びたいコンテンツを選別し検索するものである。特許文献１では、利用者毎に歌唱した楽曲の演奏履歴を表示したり、おすすめ曲を紹介する技術が開示されている。
【特許文献１】特開平２００２−１６９５７２号公報
【発明の開示】
【発明が解決しようとする課題】
【０００３】
しかしながら上記発明では、利用者の演奏履歴を参考にして、おすすめ曲や新譜を紹介するだけであり、歌唱コンテンツのような利用者参加型のコンテンツの利用を促すものではない。そこで本発明は、利用者の属性情報を利用し、その所定の属性情報が、歌唱コンテンツで現在実施しているイベント企画の対象者の属性条件と一致する場合は、その内容のイベント情報を適宜のタイミングで表示することにより、利用者のイベント参画意欲を湧きたて、歌唱コンテンツの利用を促すことのできるカラオケイベント情報表示システムの構築を目的とする。なお、本件のイベント情報とは、所定の期間で対象者が変化する歌唱採点競争、歌唱オーディション、歌唱検定等の可変イベント情報であり、この可変イベント情報をカラオケシステムに表示する。
【課題を解決するための手段】
【０００４】
上記課題を鑑み、本発明者は、利用者毎の属性情報にもとづき、現在実施しているイベント企画の対象者の属性条件と一致する場合は、これを適宜のタイミングで表示させることにより上記課題を解決できることを見出し、本発明のカラオケイベント情報表示システムを想到した。
【０００５】
すなわち、本発明の請求項１のカラオケイベント情報表示システムは、利用者ＩＤ取得手段と、利用者属性情報登録手段と、可変イベント情報表示手段とを要し、楽曲を利用者ＩＤと紐付けして予約楽曲が予約待ち行列に登録され、当該楽曲が演奏されるカラオケ装置を利用したシステムであり、
（ア）利用者ＩＤ取得手段とは、利用者ＩＤを取得して利用者を特定するものであり、
（イ）利用者属性情報登録手段とは、前記利用者ＩＤにて特定された利用者の属性情報を所定の利用者属性情報管理テーブルに登録するものであり、
（ウ）可変イベント情報表示手段とは、所定の期間で対象者が変化する可変イベント情報が、予め設定された可変イベント情報管理テーブルにもとづき、当該情報に対応付けられている対象者属性情報と、現在取得されている利用者ＩＤにつき、前記利用者属性情報管理テーブルにて管理されている利用者属性情報とを比較し、所定の属性情報が一致しているものがある場合は、利用者が楽曲の予約操作を行った際に、その属性情報に対応付けられた可変イベント情報を表示する、ことを特徴とする。
【発明の効果】
【０００７】
本発明の請求項１記載のカラオケイベント情報表示システムによれば、利用者ＩＤ取得手段で特定された利用者の属性情報を利用者属性情報管理テーブルにて管理し、このテーブルの利用者属性情報と、所定期間で変化するイベント情報を登録した可変イベント情報管理テーブルの対象者属性情報を比較し、その所定の属性情報が一致している場合は、対応づけられたイベント情報を適宜のタイミングで表示することにより、利用者に歌唱コンテンツに関連するイベント企画への参画を促し、歌唱意欲を沸き立てその場の雰囲気を盛り上げるといった効果を奏する。
【０００９】
以下に、本発明のカラオケシステムについて最適な実施例を挙げ、先ず、図１に示すカラオケシステムを構成するカラオケ装置のブロック構成図について説明する。
【実施例１】
【００１０】
図１は、本発明のカラオケシステムを構成するカラオケ装置のブロック構成図である。
本実施例におけるカラオケ装置（Ｐ）は、主に中央制御手段（２）と、これに接続される各種機能手段およびハードディスク（４）などから構成される。ここでカラオケ装置（Ｐ）における各構成要素について説明する。先ず、通信制御手段（１２）は、ＡＤＳＬ回線、ＩＳＤＮ回線、一般回線などのネットワーク通信回線を介して行われるカラオケホスト装置との通信を制御するためのものである。また、利用者ＩＤ取得手段（３）は、利用者ＩＤを取得して利用者を特定するものであり、この利用者ＩＤ取得手段（３）によって、一度、その利用者ＩＤ（２０）をもってログインした利用者が所定の操作処理をした場合、その利用者が特定される。なお、利用者ＩＤ（２０）は、リモコン装置（Ｒ）のフラッシュメモリ（図示省略）とハードディスク（４）の双方に格納することができる。
【００１１】
次に、音声生成プロセスについて説明する。音源（６）は中央制御手段（２）が実行するシーケンサ（１４）の処理によって入力され、デジタルミキサ（７）は音源（６）が発生した複数の楽音信号やカラオケマイクとＡ／Ｄコンバータ（９）を介して入力された歌唱者の歌唱音声信号を適当なバランスでミキシングする。ミキシングされたデジタル音声信号はサウンドシステム（８）に入力される。このサウンドシステム（８）はパワーアンプを備えており、入力されたデジタル信号をアナログ信号に変換して増幅し、スピーカから楽音と歌唱音声信号を放音する。
【００１２】
ハードディスク（４）に記録されている各楽曲コード（１８）対応づけられた映像データ（１９）は、ＭＰＥＧ形式にエンコードされており、中央制御手段（２）が実行する背景映像再生手段（図示省略）により再生処理を行い、これを読み出してＭＰＥＧデコーダ（１０）に入力する。このＭＰＥＧデコーダ（１０）は入力されたＭＰＥＧデータをＮＴＳＣの映像に変換し合成回路（１１）に入力し、この合成回路（１１）は、背景映像の映像信号上にテロップや採点ＯＳＤを合成し、合成された映像信号は表示手段（Ｄ１）に表示される。また、ハードディスク（４）には、利用者属性情報登録手段（１５）を利用して利用者毎の属性情報を記録する利用者属性情報管理テーブル（Ｔ１）が設けられており、さらに可変イベント情報表示手段（１７）を利用し、所定の期間で対象者が変化する可変イベント情報を管理する可変イベント情報管理テーブル（Ｔ２）が設けられている。
【００１３】
そして、リモコン装置（Ｒ）は、楽曲検索機能あるいは、楽曲予約機能を備えた多機能カラオケリモコンであり、このリモコン装置（Ｒ）をもって、利用者は赤外線信号によりカラオケ装置本体に所望の演奏予約コマンドを転送する。例えば、リモコン装置（Ｒ）にて楽曲コードが入力されると、カラオケ楽曲のリクエストであるとして、ＲＡＭ（５）にある予約待ち行列（図示省略）に楽曲コードを演奏予約する。
【００１４】
このリモコン装置（Ｒ）の利用者ＩＤ取得手段（３）を使用して任意の利用者の利用者が取得された場合は、利用者属性情報管理テーブル（Ｔ１）を使用しＴ１）可変イベント情報管理テーブル（Ｔ２）で登録されている対象者属性情報と比較し、一致の場合は適宜のタイミングでイベント情報を表示する。
【００１５】
次に、図２に示す、カラオケリモコン装置の外観斜視図と、図３に示す、利用者別ログイン・ログアウト指示のインタフェース表示画面にもとづき、各利用者の利用者ＩＤ取得手順について説明する。
【００１６】
先ず、図２は、ＧＵＩ操作パネル（Ｒａ）が備えられたリモコン装置（Ｒ）の外観斜視図である。このリモコン装置（Ｒ）は、利用者ＩＤを取得し、当該利用者のログインを特定するためのＩＤカード読み取り／書き込み装置（３）が付帯されている。この読み取り／書き込み装置（３）は非接触のＩＣモジュールを搭載したカードを対象とする装置であり、ＩＤカードに紐付けされた利用者ＩＤを特定するものである。もちろん、本実施例の他に、例えば、ＩＣモジュールを携帯電話に内蔵させたＩＣ機能付き携帯電話や、近距離無線通信手段であるBluetooth機構を有する携帯電話、あるいはパスワードの入力装置や指紋や声紋などの生体識別機能による機構の利用者識別手段を利用しても構わない。なお、このカラオケ装置と通信したり、さらには、ＶＰＮ（Virtual Private Network）を介してカラオケホスト装置と通信したりできる。
【００１７】
次に、図３は、本システムにログインするための利用者ＩＤ登録を行う画面である。利用者ＩＤ所得手段にて利用者がシステムにログインすると、「お客様メンバーズゲート」画面（２０）内に当該利用者の「ゲートボタン」（２０ａ）が形成される。その後、当該利用者は「ゲートボタン」（２０ａ）を選択し歌唱したい楽曲を選択することにより、図１に示す演奏予約手段（１３）は、その楽曲を利用者ＩＤと紐付けして予約楽曲が予約待ち行列に登録され、当該楽曲が演奏される。
【００１８】
次に、図４に示す、利用者属性情報管理テーブルの概略図と、図５に示す、各種管理テーブルの属性情報比較図について説明する。
【００１９】
図４は、利用者属性情報管理テーブル（Ｔ１）の概略図であり、（ア）の利用者属性情報管理テーブル（Ｔ１）は、利用者属性情報登録手段（１５）を利用して、各利用者の属性情報を管理したテーブルである。この利用者属性情報管理テーブル（Ｔ１）は、各利用者の属性情報を、演奏端末毎あるいはカラオケホスト装置にて管理するものであり、その構成要素としては、利用者のＩＤを特定する「利用者ＩＤ」フィールド（ｆ０）と、利用者の氏名やニックネームを示す「氏名」フィールド（ｆ１）と、利用者の生年月日、「年齢」、「性別」、「出身地」、「嗜好曲」などからなる属性情報を登録した「属性情報」フィールド（ｆ２）等からなる。
【００２０】
次に、図５は、（ア）利用者属性情報管理テーブル（Ｔ１）に登録されている所定の利用者属性情報と、（イ）可変イベント情報管理テーブル（Ｔ２）に登録されている対象者属性情報の比較図である。詳しくは、可変イベント情報管理テーブル（Ｔ２）には、可変イベント情報表示手段にて、可変イベント情報とその実施期間の条件と、これらに対応付けられている対象属性情報が登録される。この可変イベント情報管理テーブル（Ｔ２）の構成要素としては、実施するイベントのＩＤを特定する「イベントＩＤ」フィールド（ｆ１）と、イベントの期間を指定する「イベント期間」フィールド（ｆ２）と、対象者の「年齢」、「性別」、「出身地」、「嗜好曲」の属性情報の条件を特定する「属性情報」フィールド（ｆ３）からなる。
【００２１】
そして、可変イベント情報管理テーブル（Ｔ２）に登録された対象者属性情報（「性別」と「出身地」）、利用者属性情報管理テーブル（Ｔ１）の所定の属性情報（「性別と「出身地」）が一致した場合は、可変イベント情報管理テーブル（Ｔ２）にて予め設定された可変イベント情報（ｆ１〜ｆ３掲載内容）を、利用者が楽曲の予約操作を行った時に表示する。
【００２２】
次に、図６に示す、可変イベント情報表示画面にもとづき、本発明について説明する。
【００２３】
図６は、前記可変イベント情報管理テーブル（Ｔ２）で管理している対象者属性情報と、利用者属性情報管理テーブル（Ｔ１）で管理している利用者属性情報とを比較し、一致した場合に表示する可変イベント情報表示画面である。まず、表示画面（ア）は、利用者属性情報管理テーブル（Ｔ１）と可変イベント管理情報テーブル（Ｔ２）の対象者属性情報が一致した場合の表示画面である。これは利用者表示部（Ｄａ）と可変イベント情報表示部（Ｄｂ）から構成されており、登録されている可変イベント情報を、適宜のタイミングで表示する。
【００２４】
次に、図７に示す、本発明に関わる通信カラオケシステムの概念的構成図と、図８に示す、本発明のシステムに関連するカラオケホスト装置のブロック構成図にもとづき、本発明におけるカラオケ装置とカラオケホスト装置との関係と共に、当該カラオケホスト装置に設けられた、利用者属性情報管理テーブルと可変イベント情報管理テーブルについて説明する。
【実施例２】
【００２５】
先ず、図７に示すように、本発明に関する通信カラオケシステムは、主に、カラオケホスト装置（Ｈ）と通信ネットワークを介して接続された多数のカラオケ演奏装置（Ｐ，Ｐ・・・・）からなる。具体的には、先ず、カラオケホスト装置（Ｈ）は、一般公衆電話回線やＡＤＳＬあるいは光通信回線などを利用した通信ネットワークを介して各カラオケ演奏装置（Ｐ，Ｐ・・・・）に接続される。そして、例えば、インターネット（Ｎｉ）を利用したカラオケ事業者が管理するＶＰＮ（Virtual Private Network）を用い、カラオケホスト装置（Ｈ）と各カラオケ演奏装置（Ｐ）がルータ（図示省略）を介して接続され、各ルータは、その内蔵するＤＨＣＰ(Dynamic Host Configuration Protocol)サーバー機能によって、各カラオケ演奏装置（Ｐ，Ｐ・・・・）にＩＰアドレスを割り当て、それらのＭＡＣ（Media Access Control）アドレスと、このＩＰアドレスとを対応付けしたテーブルを作成して通信処理をしている。
【００２６】
次に、図８は、本発明のシステムに関連するカラオケホスト装置のブロック構成図である。カラオケホスト装置（Ｈ）は、通信制御インタフェース（３０）を利用しカラオケ装置（Ｐ）と通信を行い、中央制御手段（３１）は、カラオケ装置と同様にハードディスク（３２）にて各テーブルを管理する。各テーブルの内訳は、利用者毎の属性情報を管理する利用者属性情報管理テーブル（Ｔ１）と、所定の期間で対象者が変化する可変イベント情報を管理する可変イベント情報管理テーブル（Ｔ２）が設けられている。また、カラオケホスト装置（Ｈ）より保存したデータを各カラオケ装置（Ｐ，Ｐ・・・・）にダウンロードすることが可能である。これによりカラオケホスト装置（Ｈ）にネットワーク接続された如何なるカラオケ装置（Ｐ，Ｐ・・・・）からも情報を収集できると共に、如何なるカラオケ装置（Ｐ，Ｐ・・・・）へもカラオケホスト装置（Ｈ）に収集された情報を還元することにより、どこのカラオケ装置（Ｐ，Ｐ・・・・）からでも同じサービスが受けられるといった効果を奏する。
【００２７】
以上、説明したように、本発明のカラオケイベント情報表示システムによれば、利用者ＩＤ取得手段で特定された利用者の属性情報を利用者属性情報管理テーブルにて管理し、このテーブルの利用者属性情報と、所定期間で変化する可変イベント情報を登録した可変イベント情報管理テーブルの対象者属性情報を比較し、その所定の属性情報が一致している場合は、対応づけられた可変イベント情報を適宜のタイミングで表示することにより、利用者に歌唱コンテンツに関連するイベント企画への参画を促し、歌唱意欲を沸き立てその場の雰囲気を盛り上げることができる。
【図面の簡単な説明】
【００２８】
【図１】本システムに関連するカラオケ装置のブロック構成図
【図２】カラオケリモコン装置の外観斜視図
【図３】利用者別ログイン・ログアウト指示のインタフェース表示画面
【図４】利用者属性情報管理テーブルの概略図
【図５】各種管理テーブルの属性情報比較図
【図６】可変イベント情報表示画面
【図７】本発明に関わる通信カラオケシステムの概念的構成図
【図８】本発明のシステムに関連するカラオケホスト装置のブロック構成図
【符号の説明】
【００２９】
Ｐ        
カラオケ装置
２，３１   中央制御手段
３，       ＩＤカード読み取り／書き込み装置（利用者ＩＤ取得手段）
４，  ３２ ハードディスク
１５      
利用者属性情報登録手段
１７      
可変イベント情報表示手段
Ｔ１       利用者属性情報管理テーブル
Ｔ２       可変イベント情報管理テーブル
Ｒ         リモコン装置
【図１】
0004486041.tif 000002
【図２】
0004486041.tif 000003
【図３】
0004486041.tif 000004
【図４】
0004486041.tif 000005
【図５】
0004486041.tif 000006
【図６】
0004486041.tif 000007
【図７】
0004486041.tif 000008
【図８】
0004486041.tif 000009